(57)【要約】  堆肥化可能な包装ラップは、主としてデンプンから形成された、巻かれ得るように柔軟な細長片を備える。加えて、堆肥化または再利用が可能な１つまたは複数の材料から主として形成された第１のフィルムと、堆肥化または再利用が可能な１つまたは複数の材料から主として形成された第２のフィルムと、堆肥化または再利用が可能な１つまたは複数の材料から主として形成され、それぞれが第１のフィルムおよび第２のフィルムによって包まれている複数のパッドとを含む、堆肥化または再利用が可能な包装ラップが開示される。堆肥化または再利用が可能な包装ラップは、巻かれ得るように柔軟である。【選択図】図１Ｂ
2021531216.tif 000002
【特許請求の範囲】
【請求項１】
主としてデンプンから形成された、巻かれ得るように柔軟な細長片を含む、堆肥化可能な包装ラップ。
【請求項２】
堆肥化可能な１つまたは複数の材料が、穀物デンプン、根デンプン、野菜デンプン、およびこれらの組合せのうちの少なくとも１つを含む、請求項１に記載の包装ラップ。
【請求項３】
前記細長片の深さが１／８インチ〜２．５インチである、請求項１に記載の包装ラップ。
【請求項４】
前記細長片が巻かれた状態では、巻かれた前記細長片の半径が１インチ〜２０インチである、請求項１に記載の包装ラップ。
【請求項５】
前記細長片の密度が、０．２５〜４．０ｇ／ｃｍ３である第１の範囲、０．６〜１．０ｇ／ｃｍ３である第２の範囲、０．８〜２．０ｇ／ｃｍ３である第３の範囲、および１．０〜３．５ｇ／ｃｍ３である第４の範囲のうちの少なくとも１つの範囲内にある、請求項１に記載の包装ラップ。
【請求項６】
前記細長片が複数の区分を備え、前記複数の区分のうちの２つの隣接した区分の間の境界は切取り線を付けられている、請求項１に記載の包装ラップ。
【請求項７】
前記包装ラップの前記細長片が少なくとも８５重量％のデンプンを含む、請求項６に記載の包装ラップ。
【請求項８】
堆肥化または再利用が可能な１つまたは複数の材料から主として形成された第１のフィルムと、
堆肥化または再利用が可能な１つまたは複数の材料から主として形成された第２のフィルムと、
堆肥化または再利用が可能な１つまたは複数の材料から主として形成され、それぞれが前記第１のフィルムおよび前記第２のフィルムによって包まれている複数のパッドとを含む、堆肥化または再利用が可能な包装ラップであって、
前記包装ラップが、巻かれ得るように柔軟である、堆肥化または再利用が可能な包装ラップ。
【請求項９】
前記第１のフィルムおよび前記第２のフィルムの前記堆肥化または再利用が可能な１つまたは複数の材料が、ポリ乳酸（ＰＬＡ）、ポリ（ベータアミノ）エステル（ＰＢＡＥ）、ポリヒドロキシアルカノエート（ＰＨＡ）、ｐｏｌｙｃａｐｒａｌａｃｔｏｎｅ（ＰＣＬ）、ポリブチレートアジペートテレフタレート（ＰＢＡＴ）ポリビニルアルコール（ＰＶＡ）、エチレンビニルアルコール（ＥＶＯＨ）、およびこれらの組合せのうちの少なくとも１つを含む、請求項８に記載の包装ラップ。
【請求項１０】
前記第１のフィルムおよび前記第２のフィルムの前記堆肥化または再利用が可能な１つまたは複数の材料が、ＬＤＰＥ、ＭＤＰＥ、ＨＤＰＥ、ポリエチレンテレフタレート、およびこれらの組合せのうちの少なくとも１つを含む、請求項８に記載の包装ラップ。
【請求項１１】
前記複数のパッドの前記堆肥化または再利用が可能な１つまたは複数の材料が、穀物デンプン、根デンプン、野菜デンプン、およびこれらの組合せのうちの少なくとも１つを含む、請求項８に記載の包装ラップ。
【請求項１２】
前記第１のフィルムの深さが１／１６インチ〜１．２５インチである、請求項８に記載の包装ラップ。
【請求項１３】
前記第２のフィルムの深さが１／１６〜１．２５インチである、請求項８に記載の包装ラップ。
【請求項１４】
前記複数のパッドのうちの各パッドの深さが１／１６インチ〜２インチである、請求項８に記載の包装ラップ。
【請求項１５】
前記包装ラップが巻かれた状態では、巻かれた前記包装ラップの半径が１インチ〜２０インチである、請求項８に記載の包装ラップ。
【請求項１６】
前記複数のパッドの密度が、０．２５〜４．０ｇ／ｃｍ３である第１の範囲、０．６〜１．０ｇ／ｃｍ３である第２の範囲、０．８〜２．０ｇ／ｃｍ３である第３の範囲、および１．０〜３．５ｇ／ｃｍ３である第４の範囲のうちの少なくとも１つの範囲内にある、請求項８に記載の包装ラップ。
【請求項１７】
複数の区分を備え、前記複数の区分のうちの２つの隣接した区分の間の境界は切取り線を付けられている、請求項８に記載の包装ラップ。
【請求項１８】
前記複数の区分のうちの各区分が、前記複数のパッドのうちのそれぞれのパッドを含む、請求項１７に記載の包装ラップ。
【請求項１９】
前記複数のパッドに対して、前記第１のフィルムおよび前記第２のフィルムが接着剤を使用して貼り付けられている、請求項８に記載の包装ラップ。
【請求項２０】
前記複数のパッドのうちの各パッドが、少なくとも８５重量％のデンプンを含む、請求項８に記載の包装ラップ。
【発明の詳細な説明】
【技術分野】
【０００１】
本発明は、出荷のために使用される、堆肥化または再利用が可能な包装ラップに関する。
【背景技術】
【０００２】
従来の包装材料はポリエチレンである。たとえば、包装箱の中に荷造りされて出荷される品目を包んで緩衝するために、たとえば気泡シートといった包装材料が使用され得る。あるいは、他の包装材料は、出荷される品目を保持するための特定の形状を形成するように成形されて包装箱の中に設置され得る。
【０００３】
ポリエチレンは、比較的低コストで、種々の形状へと容易に形成されるが、堆肥にすることはできない。それゆえ、梱包箱の材料の処分が問題になる可能性がある。
【発明の概要】
【０００４】
出荷される品目を保護する、再利用または堆肥化が可能な包装ラップが開示される。
【０００５】
一般に、一態様では、堆肥化または再利用が可能な包装ラップは、主としてデンプンから形成された、巻かれ得るように柔軟な細長片を含む。
【０００６】
上記の実装形態および他の実装形態は、それぞれが、任意選択で、以下の特徴のうちの１つまたは複数を単独または組合せで含むことができる。堆肥化可能な１つまたは複数の材料は、穀物デンプン、根デンプン、野菜デンプン、およびこれらの組合せのうちの少なくとも１つを含む。細長片の深さは１／８インチ〜２．５インチである。細長片が巻かれた状態では、巻かれた細長片の半径は１インチ〜２０インチである。細長片の密度は、０．２５〜４．０ｇ／ｃｍ３である第１の範囲、０．６〜１．０ｇ／ｃｍ３である第２の範囲、０．８〜２．０ｇ／ｃｍ３である第３の範囲、および１．０〜３．５ｇ／ｃｍ３である第４の範囲のうちの少なくとも１つの範囲内にある。細長片は複数の区分を備え、複数の区分のうちの２つの隣接した区分の間の境界は切取り線を付けられている。包装ラップの細長片は少なくとも８５重量％のデンプンを含む。
【０００７】
一般に、別の態様では、堆肥化または再利用が可能な包装ラップは、堆肥化または再利用が可能な１つまたは複数の材料から主として形成された第１のフィルムと、堆肥化または再利用が可能な１つまたは複数の材料から主として形成された第２のフィルムと、堆肥化または再利用が可能な１つまたは複数の材料から主として形成され、それぞれが第１のフィルムおよび第２のフィルムによって包まれている複数のパッドとを含み、包装ラップは巻かれ得るように柔軟である。
【０００８】
上記の実装形態および他の実装形態は、それぞれが、任意選択で、以下の特徴のうちの１つまたは複数を単独または組合せで含むことができる。第１のフィルムおよび第２のフィルムの堆肥化または再利用が可能な１つまたは複数の材料は、ポリ乳酸（ＰＬＡ）、ポリ（ベータアミノ）エステル（ＰＢＡＥ）、ポリヒドロキシアルカノエート（ＰＨＡ）、ｐｏｌｙｃａｐｒａｌａｃｔｏｎｅ（ＰＣＬ）、ポリブチレートアジペートテレフタレート（ＰＢＡＴ）ポリビニルアルコール（ＰＶＡ）、エチレンビニルアルコール（ＥＶＯＨ）、およびこれらの組合せのうちの少なくとも１つを含む。第１のフィルムおよび第２のフィルムの堆肥化または再利用が可能な１つまたは複数の材料は、ＬＤＰＥ、ＭＤＰＥ、ＨＤＰＥ、ポリエチレンテレフタレート、およびこれらの組合せのうちの少なくとも１つを含む。複数のパッドの堆肥化または再利用が可能な１つまたは複数の材料は、穀物デンプン、根デンプン、野菜デンプン、およびこれらの組合せのうちの少なくとも１つを含む。第１のフィルムの深さは１／１６インチ〜１．２５インチである。第２のフィルムの深さは１／１６〜１．２５インチである。複数のパッドのうちの各パッドの深さは１／１６インチ〜２インチである。包装ラップが巻かれた状態では、巻かれた包装ラップの半径は１インチ〜２０インチである。複数のパッドの密度は、０．２５〜４．０ｇ／ｃｍ３である第１の範囲、０．６〜１．０ｇ／ｃｍ３である第２の範囲、０．８〜２．０ｇ／ｃｍ３である第３の範囲、および１．０〜３．５ｇ／ｃｍ３である第４の範囲のうちの少なくとも１つの範囲内にある。包装ラップは複数の区分をさらに含み、複数の区分のうちの２つの隣接した区分の間の境界は切取り線を付けられている。複数の区分のうちの各区分が、複数のパッドのうちのそれぞれのパッドを含む。複数のパッドに対して、第１のフィルムおよび第２のフィルムが接着剤を使用して貼り付けられている。複数のパッドのうちの各パッドは、少なくとも８５重量％のデンプンを含む。
【０００９】
可能な利点は、（それだけではないが）以下のことのうちの１つまたは複数を含み得る。包装ラップは堆肥化可能であり、そのため包装ラップの成分はすべて簡単に処分することができる。ある特定の事例では、ユーザが包装ラップの区分を容易に分離することができるように、包装ラップには切取り線または刻み目が付けられ得る。ある特定の事例では、包装ラップは、出荷される品目をさらに保護するために、フィルムで包まれたパッドを含む。これらの事例では、パッドを包むフィルムも堆肥化または再利用が可能であり、また容易に処分される。
【００１０】
以下の添付図面および説明において、１つまたは複数の実施形態の詳細が明らかにされる。本発明の他の特徴、目的、および利点は、説明および図面ならびに特許請求の範囲から明らかになるはずである。
【図面の簡単な説明】
【００１１】
【図１Ａ−Ｂ】堆肥化可能な包装ラップの第１の実装形態を示す図である。
【図２Ａ−Ｄ】堆肥化可能な包装ラップの第２の実装形態を示す図である。
【図３Ａ−Ｃ】堆肥化または再利用が可能な包装ラップの第３の実装形態を示す図である。
【発明を実施するための形態】
【００１２】
様々な図面において類似の参照記号は類似の要素を示す。
【００１３】
最初に、いくつかの専門用語が有益であり得る。「堆肥化可能」とは、製品が、急速に、たとえば１８０日以内に分解することと、（たとえばＡＳＴＭ  Ｄ６４００またはＥＮ  １３４３２に準拠して）肥料として使用され得る材料へと分解することとの両方を示す。「再利用可能」とは、製品が、再利用され得ること、または再利用に適するように処理され得ることを示す。
【００１４】
従来の包装ラップのほとんどが堆肥化可能ではなく、いくつかは再利用可能ではない。しかしながら、主としてデンプンなどの材料から形成された包装ラップは、堆肥化可能であるばかりでなく、巻き付けられている品目を保護する。いくつかの実装形態では、堆肥化可能な包装ラップは、保管スペースを節約するために、または容易に移動できるように、巻かれ得る。
【００１５】
図１Ａおよび図１Ｂは、堆肥化または再利用が可能な包装ラップ１００の第１の実装形態を示す。図１Ａは、包装ラップ１００の第１の実装形態の、広げられた形態における斜視図であり、図１Ｂは、包装ラップ１００の第１の実装形態の、巻かれた形態における斜視図である。
【００１６】
図１Ａを参照すると、包装ラップ１００は、広げられた状態では平坦な矩形の形状を有し、たとえばシートである。詳細には、ラップ１００は長い細長片をもたらす。細長片は鋭い縁部を有し得るが、いくつかの実装形態では、堆肥化可能な包装ラップ１００の縁部は丸められ得る。いくつかの実装形態では、堆肥化可能な包装ラップ１００は、特定の品目に巻き付けるための特定の形状を有し得る。たとえば、堆肥化可能な包装ラップ１００は、ワインボトルに巻き付けるためのボトル形状を有し得る。
【００１７】
堆肥化可能な包装ラップ１００は、主として堆肥化可能な材料から成り得る。たとえば、包装ラップ１００は、主として穀物デンプン（たとえばミロとしても知られているトウモロコシのデンプン、コムギデンプンまたはモロコシ）、根デンプン（たとえばバレイショデンプン）、または野菜デンプンなどのデンプンから成り得る。いくつかの実装形態では、異なるデンプンの組合せが使用され得る。いくつかの実装形態では、デンプンは、たとえば植物性繊維といった堆肥化または再利用が可能な１つまたは複数の他の材料と混合され得る。デンプンは、包装ラップ１００の少なくとも５０重量％、たとえば少なくとも７５重量％、たとえば少なくとも８５重量％、またはたとえば少なくとも９５〜９９重量％であり得る。いくつかの実装形態では、包装ラップ１００はデンプンから成る。いくつかの実装形態では、包装ラップ１００は押し出し法を使用して形成され得る。
【００１８】
いくつかの実装形態では、包装ラップ１００の堆肥化可能な性質の妨げにならない、たとえばデンプンの付着を改善する軟化剤、または防腐剤もしくは抗真菌薬といった他の材料が、少量だけ存在し得る。たとえば、堆肥化可能な包装ラップ１００の少なくとも８５重量％、たとえば少なくとも９０重量％、たとえば９０〜９５重量％または９５〜９９重量％は、デンプンで作られている。ポリビニルアルコールは、たとえば５〜１０重量％存在し得る。
【００１９】
いくつかの実装形態では、包装ラップ１００はそっくり堆肥化可能であり、すなわち堆肥化可能な材料から成る。いくつかの実装形態では、包装ラップ１００は堆肥化可能な材料と再利用可能な材料の組合せから成る。たとえば、いくつかの実装形態では、組合せが再利用可能になるように、たとえばデンプンといった堆肥化可能な材料に対して、たとえば水を減速させる材料といったさらなる材料が追加される。
【００２０】
いくつかの実装形態では、包装ラップ１００の材料は発泡材料でよく、たとえば包装ラップ１００を通して実質的に均一に散在された小さい細孔または空隙を含む。たとえば、包装ラップ１００の体積の１０〜８０％、たとえば２５〜７５％、２５〜５０％、１０〜２５％、および５０〜７５％は、細孔または空隙であり得る。細孔または空隙の最大サイズは約１ｍｍであり得る。包装ラップ１００は発泡材料であり得るが、全体的に圧縮不可能である。
【００２１】
包装ラップ１００は、広げられた未使用の形態では、幅よりも大きい長さを有し得る。たとえば、堆肥化可能な包装ラップ１００の長さＬ１は１０インチ〜５００フィートであり得、堆肥化可能な包装ラップ１００の幅Ｗ１は６インチ〜４８インチであり得る。この例では、堆肥化可能な包装ラップ１００のサイズは、堆肥化可能な包装ラップ１００の広げられた全体のサイズを表す。しかしながら、堆肥化可能な包装ラップ１００のサイズは、これらの例示の数値に限定されない。堆肥化可能な包装ラップ１００は、品目に巻き付けるために任意の適切なサイズを有し得る。
【００２２】
堆肥化可能な包装ラップ１００はまた、幅Ｗ１未満の深さＤ１（すなわち厚さ）を有する。図１Ｂに示されるように、堆肥化可能な包装ラップ１００の深さＤ１は、堆肥化可能な包装ラップ１００が中央のポストまたはチューブに巻き付けられ得るようになっている。詳細には、包装ラップ１００の深さＤ１は、原料組成物に関連して、包装ラップが壊れたり永久変形したりすることなく、特定の直径を有する中央のポストのまわりに巻き付けられるように十分に柔軟な範囲内になる。たとえば、中央柱の直径は１／８インチ〜５インチであり得る。堆肥化可能な包装ラップ１００の深さが深すぎると、堆肥化可能な包装ラップ１００を巻くことができない。たとえば、堆肥化可能な包装ラップ１００が、主としてデンプンから形成される場合には、堆肥化可能な包装ラップ１００の深さは、巻かれるように１／８インチ〜２．５インチであり得る。堆肥化可能な包装ラップ１００の最大厚さは、様々なタイプのデンプンに関して異なり得る。
【００２３】
いくつかの材料については、同一の材料が、たとえばデンプンの圧縮の程度といった製造プロセスに依拠して、異なる密度を有し得る。そのような場合、包装ラップ１００の密度は、たとえば適切な処理パラメータを選択することによって選択され得る。多くの材料について、密度がより高ければ（たとえば圧縮度がより高ければ）、材料の柔軟性はより低くなる。そのような場合、堆肥化可能な包装ラップ１００は、上記で説明されたような、巻かれるのに十分な柔軟性を有し得るように、密度を選択され得る。堆肥化可能な包装ラップ１００が主としてデンプンから形成されている場合には、堆肥化可能な包装ラップ１００の密度は、約０．２５〜４．０ｇ／ｃｍ３であり、たとえば０．６〜１．０ｇ／ｃｍ３、０．８〜２．０ｇ／ｃｍ３、１．０〜３．５ｇ／ｃｍ３であり得る。
【００２４】
いくつかの実装形態では、包装ラップ１００の密度は実質的に均一であり、たとえば、材料に細孔がないか、またはシートを通じて細孔が実質的に均一に分配され、同様に、材料の圧縮度も実質的に均一である。しかしながら、いくつかの実装形態では、包装ラップ１００の密度は、シートの長さまたは幅に沿って変化し得、たとえば材料の圧縮度を変化させることができる。
【００２５】
図１Ｂを参照すると、堆肥化可能な包装ラップ１００は巻かれた形態である。いくつかの実装形態では、包装ラップ１００は中央柱１０２のまわりに巻かれている。いくつかの実装形態では、中央柱１０２は、主として堆肥化可能な材料から形成され得る。たとえば、中央柱１０２は主としてデンプンから形成され得る。中央柱１０２用のデンプンは、図１Ａを参照しながら上記で説明された任意のタイプのデンプン、または図１Ａを参照しながら上記で説明された２つ以上のデンプンの任意の組合せであり得る。いくつかの実装形態では、中央柱１０２用の堆肥化可能な材料は、堆肥化可能な包装ラップ１００の堆肥化可能な材料と同一のものであり得る。これらの実装形態では、中央柱１０２と堆肥化可能な包装ラップ１００とが同一の堆肥化可能な材料から形成されるため、中央柱１０２の製造原価が低減され得る。いくつかの実装形態では、中央柱１０２用の堆肥化可能な材料は、堆肥化可能な包装ラップ１００の堆肥化可能な材料と異なるものであり得る。これらの実装形態では、中央柱１０２用の堆肥化可能な材料は、巻かれた堆肥化可能な包装ラップ１００がその形状を維持することができるように、堆肥化可能な包装ラップ１００用の堆肥化可能な材料よりも硬いものであり得る。いくつかの実装形態では、堆肥化可能な包装ラップ１００は中央柱なしで巻かれ得る。
【００２６】
堆肥化可能な包装ラップ１００は、重心軸（たとえば中央柱）のまわりに複数回巻き付けられ得る。たとえば、堆肥化可能な包装ラップ１００が巻かれる場合、巻かれた堆肥化可能な包装ラップ１００の半径Ｒ１は１インチ〜２０インチであり得る。堆肥化可能な包装ラップ１００の半径は、これらの特定の数値に限定されるべきではなく、任意の適切な数値であり得る。
【００２７】
図２Ａ〜図２Ｄは、堆肥化可能な包装ラップ２００の第２の実装形態を示す。図２Ａは、堆肥化可能な包装ラップ２００の第２の実装形態の、広げられた形態における斜視図であり、図２Ｂは、堆肥化可能な包装ラップ２００の一例の、広げられた形態における断面図であり、図２Ｃは、堆肥化可能な包装ラップ２００の別の例の、広げられた形態における断面図であり、図２Ｄは、堆肥化可能な包装ラップ２００の第２の実装形態の、巻かれた形態における斜視図である。堆肥化可能な包装ラップ２００は、以下で説明される差異を除けば、図１Ａおよび図１Ｂを参照しながら上記で説明された堆肥化可能な包装ラップ１００と同一または類似であり得る。
【００２８】
図２Ａを参照すると、堆肥化可能な包装ラップ２００は、たとえば第１の区分２１０および第２の区分２２０といった複数の区分を含み、これらは、たとえば刻み目または切取り線を付けられた部分２３０といった、刻み目または切取り線を付けられた部分によってそれぞれ分割され、それによって、１つの区分を隣接した区分からより容易に手で分離することができる。刻み目または切取り線のライン２３０は、包装ラップ２００の細長片の幅にわたって延在し得る。
【００２９】
いくつかの実装形態では、複数の区分のうちの各区分のサイズは同一であり得る。たとえば、第１の区分２１０の長さＬ２は、第２の区分２２０の長さＬ２’と同一であり得る。いくつかの実装形態では、異なる区分は異なるサイズを有し得る。たとえば、第１の区分２１０の長さＬ２は、第２の区分２２０の長さＬ２’と異なり得る。この例では、ユーザは、異なるサイズの品目に巻き付けるために、異なるサイズのラップを使用することができる。すなわち、ユーザは、小さい品目に巻き付けるためにより小さい区分を使用することができ、大きい品目に巻き付けるためにより大きい区分を使用することができる。
【００３０】
図２Ｂを参照すると、刻み目または切取り線を付けられた部分２３０は、堆肥化可能な包装ラップ２００の頂面に形成された第１の刻み目２３０ａ、および堆肥化可能な包装ラップ２００の底面に形成された第２の刻み目２３０ｂを含む。刻み目２３０ａおよび２３０ｂは、堆肥化可能な包装ラップ２００の表面に形成された複数の溝を含み得る。たとえば、第１の刻み目２３０ａの溝は深さＤ２を有し得、第２の刻み目２３０ｂの溝は深さＤ３を有し得る。深さＤ２およびＤ３は１／８インチ〜２．５インチであり得る。いくつかの実装形態では、深さＤ２は深さＤ３と同一であり得る。いくつかの実装形態では、深さＤ２は深さＤ３と異なり得る。
【００３１】
いくつかの実装形態では、堆肥化可能な包装ラップ２００が主としてデンプンから形成されている場合には、深さＤ２およびＤ３は、ユーザが堆肥化可能な包装ラップ２００から区分を分離するまでは堆肥化可能な包装ラップ２００から区分が容易に分離することのないように決定されるべきである。その上に、堆肥化可能な包装ラップ２００が巻かれるとき、区分は、２つの区分（たとえば第１の区分２１０と第２の区分２２０）の間の張力のために分離してしまう可能性がある。したがって、深さＤ２およびＤ３は、張力によって分離されないように十分に浅くするべきである。これらの実装形態では、深さＤ２およびＤ３は１／６４インチ〜１．２インチであり得る。
【００３２】
いくつかの実装形態では、刻み目または切取り線を付けられた部分２３０は、堆肥化可能な包装ラップ２００の１つの表面だけに形成された溝を含むことができる。たとえば、刻み目または切取り線を付けられた部分２３０は、堆肥化可能な包装ラップ２００の頂面に形成された第１の刻み目２３０ａのみを含むことができる。あるいは、刻み目または切取り線を付けられた部分２３０は、堆肥化可能な包装ラップ２００の底面に形成された第２の刻み目２３０ｂのみを含むことができる。これらの実装形態では、溝の深さは、刻み目または切取り線を付けられた部分２３０が第１の刻み目２３０ａと第２の刻み目２３０ｂの両方を含んでいる場合の溝の深さよりも深くなり得る。
【００３３】
図２Ｃを参照すると、いくつかの実装形態では、刻み目または切取り線を付けられた部分２３０は、包装ラップ２００のシートを通って全面的に延在する切取り線を有し得る。切取り線は長さＬ２”を有し得る。たとえば、長さＬ２”は２インチ〜２０インチであり得る。
【００３４】
図２Ｄを参照すると、堆肥化可能な包装ラップ２００は巻かれた形態である。巻かれた堆肥化可能な包装ラップ２００は半径Ｒ２を有し得る。いくつかの実装形態では、堆肥化可能な包装ラップ２００が主としてデンプンで作製されている場合には、堆肥化可能な包装ラップ２００の半径Ｒ２はデンプン材料の密度に基づいて決定され得る。いくつかの実装形態では、堆肥化可能な包装ラップ２００の半径Ｒ２は、図１Ｂを参照しながら説明された堆肥化可能な包装ラップ１００の半径Ｒ１と同一であり得る。他の実装形態では、２つの隣接した区分間の張力によって堆肥化可能な包装ラップ２００から区分が分離するのを防止するために、半径Ｒ２は半径Ｒ１よりも小さくなり得る。たとえば、半径Ｒ２は１インチ〜２０インチであり得る。堆肥化可能な包装ラップ２００の半径は、この特定の数値に限定されるべきではなく、任意の適切な数値であり得る。
【００３５】
図３Ａ〜図３Ｃは、堆肥化または再利用が可能な包装ラップ３００の第１の実装形態を示す。図３Ａは、堆肥化または再利用が可能な包装ラップ３００の広げられた形態における斜視図であり、図３Ｂは、堆肥化または再利用が可能な包装ラップ３００の広げられた形態における断面図であり、図３Ｃは、堆肥化または再利用が可能な包装ラップ３００の巻かれた形態における斜視図である。堆肥化または再利用が可能な包装ラップ３００は、以下で説明される差異を除けば、図２Ａ〜図２Ｄを参照しながら上記で説明された堆肥化可能な包装ラップ２００と同一または類似であり得る。
【００３６】
図３Ａを参照すると、堆肥化または再利用が可能な包装ラップ３００は、たとえば刻み目または切取り線を付けられた部分３３０といった刻み目または切取り線を付けられた部分によってそれぞれ分割される、たとえば第１の区分３１０および第２の区分３２０といった複数の区分を含む。いくつかの実装形態では、複数の区分のうちの各区分のサイズは同一であり得る。たとえば、第１の区分３１０の長さＬ３は、第２の区分３２０の長さＬ３’と同一であり得る。いくつかの実装形態では、複数の区分のうちの各区分のサイズは異なり得る。たとえば、第１の区分３１０の長さＬ３は、第２の区分３２０の長さＬ３’と異なり得る。この例では、ユーザは、異なるサイズの品目に巻き付けるために、異なるサイズのラップを使用することができる。すなわち、ユーザは、小さい品目に巻き付けるためにより小さい区分を使用することができ、大きい品目に巻き付けるためにより大きい区分を使用することができる。
【００３７】
いくつかの実装形態では、堆肥化または再利用が可能な包装ラップ３００の各区分は、区分の中央域におけるパッド部分と、パッド部分を囲む境界部分とを含む。たとえば、第１の区分３１０は、パッド部分３１２と、パッド部分３１２を囲む境界部分３１４とを含み、第２の区分３２０は、パッド部分３２２と、パッド部分３２２を囲む境界部分３２４とを含む。境界部分３２４は、パッド部分３２２と第１の区分３１０の縁部の間に余地Ｍを有し得る。たとえば、余地Ｍは１／２インチ〜５インチであり得る。余地は、これらの数値に限定されず、任意の適切な数値であり得る。
【００３８】
図３Ｂを参照すると、堆肥化または再利用が可能な包装ラップ３００は、たとえば第１のフィルム３０１および第２のフィルム３０２といった複数のフィルムと、フィルムの間に挟まれた、たとえば第１のパッド３４２および第２のパッド３４４といった堆肥化または再利用が可能なパッドとを含む。たとえば、第１の区分３１０のパッド部分３１２において、パッド３４２、３４４の上半分が第１のフィルム３０１に接触し、パッド３４２、３４４の下半分が第２のフィルム３０２に接触する。第１の区分３１０の境界部分３１４において、２つのフィルム３０１と３０２は、たとえば接着剤によって互いに結合されている。いくつかの実装形態では、フィルム３０１および３０２は、接着剤を使用してパッド３４２、３４４に対して固定され得る。いくつかの実装形態では、パッド３４２、３４４はフィルム３０１および３０２によって形成されたポケットの中に入る。いくつかの実装形態では、パッド３４２、３４４は、ポケットの中で実質的に拘束され、たとえば空気がポケットから排出される。いくつかの実装形態では、パッド３４２、３４４は、拘束されることなく位置し、たとえばフィルム３０１、３０２によって形成されたポケットの中でスライド可能である。
【００３９】
いくつかの実装形態では、各フィルムの深さは、深さＤ４の半分であり得る。たとえば、フィルムの深さは１／１６インチ〜１．２５インチであり得る。いくつかの実装形態では、たとえば第１のパッド３４２といったパッドの深さは、１／１６インチ〜２インチであり得る。しかしながら、深さＤ５はこれらの数値に限定されない。深さＤ５は任意の適切な数値であり得る。
【００４０】
いくつかの実装形態では、刻み目または切取り線を付けられた部分３３０は、第１のフィルム３０１の表面に形成された第１の刻み目３３０ａ、および第２のフィルム３０２の表面に形成された第２の刻み目３３０ｂを含む。刻み目３３０ａおよび３３０ｂは、フィルム３０１および３０２の表面に形成された複数の溝を含み得る。刻み目または切取り線を付けられた部分３３０に隣接した２つのフィルム３０１および３０２は、間のパッドなしで互いに結合されている。あるいは、いくつかの実装形態では、刻み目または切取り線を付けられた部分３３０は、包装ラップ３００のシートを通って全面的に延在する切取り線を有し得る。
【００４１】
いくつかの実装形態では、たとえば第１のパッド３４２および第２のパッド３４４といったパッドは、主として、堆肥化可能な材料から形成され得る。たとえば、パッド３４２および３４４の堆肥化可能な材料は、主として、たとえば穀物デンプン（たとえばミロとしても知られているトウモロコシのデンプン、コムギデンプンまたはモロコシ）、根デンプン（たとえばバレイショデンプン）、または野菜デンプンといったデンプンである。いくつかの実装形態では、パッド３４２および３４４用に、異なるデンプンの組合せが使用され得る。いくつかの実装形態では、パッド部分３１２は、たとえば９０〜９５重量％といった、少なくとも８５重量％のデンプンを含むことができる。
【００４２】
いくつかの実装形態では、たとえば第１のフィルム３０１および第２のフィルム３０２といったフィルムは堆肥化可能であり得、たとえばＡＳＴＭ  Ｄ６４００規格を満たすバイオプラスチックであり得る。堆肥化可能なフィルム用の例示の材料は、ポリ乳酸（ＰＬＡ）、ポリ（ベータアミノ）エステル（ＰＢＡＥ）、ポリヒドロキシアルカノエート（ＰＨＡ）、ｐｏｌｙｃａｐｒａｌａｃｔｏｎｅ（ＰＣＬ）、ポリブチレートアジペートテレフタレート（ＰＢＡＴ）ポリビニルアルコール（ＰＶＡ）、またはエチレンビニルアルコール（ＥＶＯＨ）のうちの１つまたは複数に基づくポリマーを含む。加えて、これらの材料の任意の組合せが、フィルム３０１および３０２用に使用され得る。たとえば、フィルム３０１および３０２用にＰＢＡＴとＰＥの組合せが使用され得る。別の例として、フィルム３０１および３０２用にＰＥとＰＬＡの組合せが使用され得る。いくつかの実装形態では、ポリマーは、たとえばデンプンといった有機製品と混合され得る。
【００４３】
いくつかの実装形態では、たとえば第１のフィルム３０１および第２のフィルム３０２といったフィルムは再利用可能であり得る。再利用可能なフィルムに適する材料はポリエチレンである。たとえば、フィルム３０１および３０２は、ＬＤＰＥ、ＭＤＰＥ、ＨＤＰＥ、またはポリエチレンテレフタレートを含み得る。ポリエチレンには製作の容易さおよび優れた耐水性といった利点がある。
【００４４】
いくつかの実装形態では、たとえば第１のフィルム３０１および第２のフィルム３０２といったフィルムは紙シートであり得る。紙は、十分に薄いかまたは切取り線が付いていれば、堆肥化可能である。任意選択で、紙は撥水性塗料で内張りされ得る。フィルムの内表面もしくは外表面のいずれかまたは両方が、撥水性塗料で内張りされ得る。撥水性塗料は、たとえばワックスといった堆肥化可能な材料であり得る。この例では、紙および塗料を有するフィルムは堆肥化可能である。あるいは、撥水性塗料は再利用可能な材料であり得る。この例では、紙および塗料を有する層は再利用可能である。
【００４５】
図３Ｃを参照すると、堆肥化または再利用が可能な包装ラップ３００は巻かれた形態である。堆肥化または再利用が可能な巻かれた包装ラップ３００は半径Ｒ３を有し得る。いくつかの実装形態では、堆肥化または再利用が可能な包装ラップ３００が、たとえばフィルム３０１および３０２といった２つのフィルムの間に、たとえばパッド３４２および３４４といったパッドを含んでいる場合には、堆肥化または再利用が可能な包装ラップ３００の半径Ｒ３は、フィルムまたはパッド用の材料の密度ならびに／あるいはパッドの深さＤ５およびフィルムの深さＤ４に基づいて決定され得る。たとえば、堆肥化または再利用が可能な包装ラップ３００の半径Ｒ３は１インチ〜２０インチであり得る。堆肥化可能な包装ラップ３００の半径は、これらの特定の数値に限定されるべきではなく、任意の適切な数値であり得る。
【００４６】
上記で論じられた特徴の種々の組合せが可能である。図面は、限られた数の可能な組合せのみを示しており、説明された様々な特徴は、矛盾しない任意の組合せで互いに使用され得るものと想定されたい。複数の実施形態が説明されてきた。それにもかかわらず、本発明の趣旨および範囲から逸脱することなく様々な変更形態が作製され得ることが理解されよう。それゆえに、他の実施形態は以下の特許請求の範囲に含まれる。
【図１Ａ】
2021531216.tif 000003
【図１Ｂ】
2021531216.tif 000004
【図２Ａ】
2021531216.tif 000005
【図２Ｂ】
2021531216.tif 000006
【図２Ｃ】
2021531216.tif 000007
【図２Ｄ】
2021531216.tif 000008
【図３Ａ】
2021531216.tif 000009
【図３Ｂ】
2021531216.tif 000010
【図３Ｃ】
2021531216.tif 000011
【国際調査報告】
2021531216.tif 000012
2021531216.tif 000013
2021531216.tif 000014
2021531216.tif 000015
2021531216.tif 000016